(57)【要約】      （修正有）【課題】パウチ開封時、Ｖノッチの鋭利部分に誤って指先が当接して指先を傷つけてしまうことなく、パウチを安全に開封することを可能とし、さらには、パウチの開封起点を一見して容易に認識可能な、パウチを提供する。【解決手段】包装体の外周をシールしてなるパウチにおいて、該パウチ開封時に開封起点となるシール部分に、開封方向を示すしるし７，８を形成するとともに、前記しるしの内側に前記シール部分の一部を切り欠いたノッチ９を形成したことを特徴とする。また、斜め方向への自然な手の動きによりパウチの開封を可能とし、幅広い年代の消費者が、安全かつスムースにパウチを使用することを可能とするユニバーサルデザインに基づいたパウチである。【選択図】図４
2008074441.tif 000002
【特許請求の範囲】
【請求項１】
包装体の外周をシールしてなるパウチにおいて、該パウチ開封時に開封起点となるシール部分に、開封方向を示すしるしを形成するとともに、前記しるしの内側に前記シール部分の一部を切り欠いたノッチを形成したことを特徴とする、ユニバーサルデザインパウチ。
【請求項２】
前記ノッチは、スリット形状からなるＩノッチであることを特徴とする、請求項１記載のユニバーサルデザインパウチ。
【請求項３】
前記ノッチは、開封方向に対して斜めに傾いた形状であることを特徴とする、請求項２記載のユニバーサルデザインパウチ。
【請求項４】
パウチの収容部に、開封方向を示すしるしを形成したことを特徴とする、請求項１乃至３記載のユニバーサルデザインパウチ。
【請求項５】
前記しるしは、マット状に形成されてなることを特徴とする、請求項１乃至４記載のユニバーサルデザインパウチ。
【請求項６】
前記しるし及び前記ノッチは、複数箇所に形成されることを特徴とする、請求項１乃至５記載のユニバーサルデザインパウチ。
【発明の詳細な説明】
【技術分野】
【０００１】
本発明は、環境および使う人（消費者）への配慮を重視したユニバーサルデザインに対応したパウチ（ユニバーサルデザインパウチ）に関する。
【背景技術】
【０００２】
従来、主にレトルト食品や、詰め替え用の洗剤、或いは無菌包装食品、鮮度保持包装食品、医薬品等の内容物を密封包装した包装体（パウチ）が知られている。このようなパウチは、パウチの左右に形成されたノッチを開封起点として、ノッチ上方のフィルム（切取片）を水平方向へと引き裂きつつ切除してパウチの開封を行なう構成である（例えば特許文献１）。
【０００３】
通常、このようなパウチを初期開封する際は、図７に示すように、パウチ１０の端部に形成されたＶ字形状かなるノッチ（Ｖノッチ９）を起点にパウチ上方のフィルムを水平方向へと引き裂いて切除することによりパウチ１０の開封を行なう。
しかし、このようなＶノッチ９を形成する際に、パウチ１０のシール部分をＶ字形状に切り抜くために、大量のＶ字片が発生してしまうという欠点がある。
また、Ｖノッチ９は、その端部が鋭利部分Ｘを形成するため、パウチ１０の開封時、誤ってＶノッチ９の鋭利部分Ｘで指を切ってしまう恐れがある。
【０００４】
そこで、図８（ｂ）に示すように、スリット状のＩノッチ９を形成することにより、シール片等のゴミを出すことなく、さらには、シール端部の鋭利部分Ｘをなくすことが可能である。しかしながら、スリット状のＩノッチ９は、図８（ａ）に示すようなＶノッチ９に比べて、Ｉノッチ９を見つけにくいため、開封箇所を認識することが難しいという欠点がある。
【０００５】
【特許文献１】特開平７−２８５５９号公報
【発明の開示】
【発明が解決しようとする課題】
【０００６】
そこで本発明は、このような課題を解決すべく、従来の、Ｖノッチ９の鋭利部分Ｘに、誤って指先が当接して指先を傷つけてしまうことなく、安全な開封可能な形状からなるノッチ９を形成することにより、パウチ１０を安全に開封することを可能とし、さらには、ノッチ９部分を一見して認識しやすく構成して、スムースに開封可能なパウチ１０を提供することを目的とする。
【０００７】
また、パウチ開封時に、斜め方向への自然な手の動きにより、パウチ１０を開封可能とし、幅広い年代の消費者が、安全かつスムースにパウチを使用することを可能とするユニバーサルデザインに基づいたパウチを提供することである。
【課題を解決するための手段】
【０００８】
そこで、これらの課題を解決するため、本発明の請求項１記載の発明は、包装体の外周をシールしてなるパウチにおいて、該パウチ開封時に開封起点となるシール部分に、開封方向を示すしるしを形成するとともに、前記しるしの内側に前記シール部分の一部を切り欠いたノッチを形成したことを特徴とする、ユニバーサルデザインパウチである。
【０００９】
また、請求項２記載の発明は、前記ノッチは、スリット形状からなるＩノッチであることを特徴とする、ユニバーサルデザインパウチである。
【００１０】
また、請求項３記載の発明は、前記ノッチは、開封方向に対して斜めに傾いた形状であることを特徴とする、ユニバーサルデザインパウチである。
【００１１】
また、請求項４記載の発明は、パウチの収容部に、開封方向を示すしるしを形成したことを特徴とする、ユニバーサルデザインパウチである。
【００１２】
また、請求項５記載の発明は、前記しるしは、マット状に形成されてなることを特徴とする、ユニバーサルデザインパウチである。
【００１３】
また、請求項６記載の発明は、前記しるし及び前記ノッチは、複数箇所に形成されることを特徴とする、ユニバーサルデザインパウチである。
【発明の効果】
【００１４】
このように、本発明の請求項１記載の発明は、包装体の外周をシールしてなるパウチにおいて、該パウチ開封時に開封起点となるシール部分に、開封方向を示すしるしを形成するとともに、前記しるしの内側に前記シール部分の一部を切り欠いたノッチを形成したことを特徴とするから、パウチの開封箇所を一見して容易に認識できる効果がある。
【００１５】
また、請求項２記載の発明は、前記ノッチは、スリット形状からなるＩノッチであることを特徴とするから、パウチの開封箇所を一見して認識できる効果があるとともに、指先がノッチ部分に触れても誤って指先を傷つけてしまうようなことがない。
【００１６】
また、請求項３記載の発明は、前記ノッチは、開封方向に対して斜めに傾いた形状であることを特徴とするから、パウチの開封箇所を一見して認識できる効果があるとともに、パウチ開封時に、斜め方向への手の自然な動きに沿ってパウチの初期開封をスムースに行うことが可能である。
【００１７】
また、請求項４記載の発明は、パウチの収容部に、開封方向を示すしるしを形成したことを特徴とするから、さらに、パウチの開封箇所を一見して認識できる効果があるとともに、パウチの開封方向や開封方法を直感的かつ視覚的に認識することができる効果がある。
【００１８】
また、請求項５記載の発明は、前記しるしは、マット状に形成されてなることを特徴とするから、パウチの開封箇所を指先の触感で判別することができる効果がある。
【００１９】
また、請求項６記載の発明は、前記しるし及び前記ノッチは、複数箇所に形成されることを特徴とするから、適宜内容物の種類やパウチの形状に伴い、前記しるし及び前記ノッチを複数段形成することが可能である。
【００２０】
このように、本発明のユニバーサルデザインパウチは、包装体の外周をシールしてなるパウチであって、該パウチの初期開封時に開封起点となるノッチを有するパウチにおいて、前記ノッチは、スリット状の切り線であって、該スリットを囲む位置に引き裂き方向を示すしるしを形成した簡単な構成により、パウチの開封箇所を一見して認識でき、さらには、指先がノッチ部分に当接しても誤って指先を傷つけてしまうようなことがない。
【００２１】
また、ノッチを斜めに傾けて形成することにより、パウチ開封時に、手の自然な動きに沿ってパウチの初期開封をスムースに行うことが可能であるとともに、左右のノッチを結ぶ位置において、パウチの未シール部分に、引き裂き方向を示すしるしを形成することにより、パウチの開封方法を直感的かつ視覚的に認識することができる効果がある。
よって、パウチの開封操作を安全かつスムースに行なうことができるパウチ（ユニバーサルデザインパウチ）を提供することが可能である。
【発明を実施するための最良の形態】
【００２２】
本発明のユニバーサルパウチ１０の一例としては、図１（ａ）（ｂ）に示すように、上下左右のフィルム外周をそれぞれヒートシールしてなるパウチ１０であって、該パウチ開封時に開封起点となる左右のシール部分２にそれぞれ形成されたノッチ９の周囲には、一見、Ｖノッチ形状からなるしるし７（開封起点表示７）が形成されている。
【００２３】
特に、左右のシール部分２に形成されたノッチ９は、安全性を考慮してＶ字形状のＶノッチではなく、スリット形状のＩノッチ９であり、消費者がパウチ１０を開封する際に、誤って指先を傷つけてしまうようなことがない。また、ノッチ９の周囲に形成された開封起点表示７は、通常のＶノッチ形状であり、消費者にＶノッチを起点にパウチ１０を開封する感覚を与えることが可能である。
【００２４】
よって、パウチ１０の開封時に、Ｖノッチ形状の開封起点表示７によりパウチの開封箇所を一見して認識することができるとともに、スリット形状のＩノッチ９により、誤って指先を傷つけてしまうようなことなく、安全かつスムースにパウチ１０の開封を行なうことが可能である。
【００２５】
本発明のユニバーサルパウチ１０は、詳しくは、図２に示すように、パウチ１０の中央部分に、予め所定の方法により内容物が充填される未シール部分４からなる収容部４を有し、該収容部４の外周である、上シール部１、左右のシール部２、下シール部３にそれぞれヒートシールが施され４方シールパウチ１０を形成している。このようなパウチ１０としては、四方シール形式のパウチ１０に限らず、スタンドパウチや、ガゼット袋やピロー袋など、フィルムの外周をシールしてなるパウチ１０であれば、パウチの種類や形状は限定されるものではない。
【００２６】
パウチ１０の左右のシール部２には、前記収容部４を水平方向へと横切り切取る際の開封起点となる、スリット状のノッチ９が形成されている。そして、パウチ１０の初期開封時において、前記ノッチ９を起点として、前記上シール部１を含むフィルム（切取片５）を、切除することにより、パウチ１０の初期開封を行うものである。
【００２７】
通常、スリット形状の前記Ｉノッチ９は、Ｖ字形状のノッチ９に比べて、パウチ開封時において、ノッチ９部分を一見して認識することが難しい。そこで、前記Ｉノッチ９の周囲にＶノッチ形状のしるし７からなるしるし７（開封起点表示７）を形成することにより、一見して容易にノッチ９（開封起点９）の位置を認識することが可能である。特に、Ｖノッチ形状のしるし７を大きく形成することにより、より容易に開封箇所を認識することができる効果がある。
【００２８】
前記ノッチ９は、左右のシール部２の片側だけに形成してもよいが、消費者によって、開封方向が異なるため、左右それぞれにノッチを形成することがより望ましい。また、左右のノッチ９間を結ぶ位置において、フィルムの切り取りを容易にするための切取り線を形成してもよく、該切取り線としては、レーザー光照射などによるハーフカット線を設ける方法、或いは、パウチの積層フィルムの中間層などに一軸延伸フィルムを積層する方法（この場合、一軸延伸フィルムは、その延伸方向が袋の開封方向と一致するように用いる）などがあり、これらは単独で用いてもよく、また、例えば、ノッチとハーフカット線、更には一軸延伸フィルムの積層などを組み合わせて用いることもできる。
【００２９】
また、一般的に、パウチ１０の初期開封時、切取片５をつまみ、斜め上方へと切取片５を引き裂いてパウチ１を開封する傾向がある。このため、しるし７を水平方向に形成するとともに、ノッチ９を斜め上方に傾けて形成してもよい。また、ノッチ形状は直線に限らず、直線と斜線とを組み合わせた形状であってもよい。
これにより、斜めに傾いたノッチ９を起点に、自然な手の動きに沿って容易に切取片５を切り取り、パウチの初期開封をスムースかつ容易に行うことが可能である。
【００３０】
例えば、図３（ａ）（ｂ）に示すように、水平方向にＶノッチ形状の開封起点表示７を形成し、該開封起点表示７の内側部分に斜め上方へと傾いたスリットからなるＩノッチ９を形成する。これにより、パウチ１０の初期開封時に、斜め方向への手の自然な動きに伴い、スムースに切取片を切り取ることが可能である。
【００３１】
また、本発明のパウチ１０は、パウチ１０の未シール部分４である収容部４に、開封方向を示すしるし８（開封方向表示８）を形成してもよい。
例えば、図４に示すように、パウチ１０の未シール部分４に、複数の点線および複数の矢印からなる、パウチの開封方向を示すしるし８を形成して、より好ましい切取り方向等の情報を記してもよい。
【００３２】
この場合、複数のしるし８は、パウチの開封開始直後に一旦上方へとフィルムを切り取った後下方へと切取り、再び水平方向へと切り取ることを示すしるし８（開封方向表示８）を形成することにより、図４（ｂ）に示すように、パウチ１０を切取った部分の、表裏のフィルム縁が、僅かな段差Ｄを形成した状態とすることが可能である。よって、切取り部分の表裏のフィルム縁の高さが、互いに揃った状態でくっついてしまうことなく、段差部分Ｄを指先でつまんで、表裏のフィルムを容易に引き離すことが可能である。
【００３３】
以上のように、本発明のユニバーサルデザインパウチ１０は、開封起点となるシール部分に、開封方向を示すしるし７（開封起点表示７）を形成するとともに、前記しるし７の内側に前記シール部分２の一部を切り欠いたノッチ９を形成する簡単な構成により、パウチ１０の開封箇所を一目で認識することが可能である。また、前記ノッチを、スリット形状のＩノッチ９とすることにより、パウチ開封時に、Ｖノッチの鋭利部分Ｘに指先が当接して指先を傷つけてしまうことがなく、安全にパウチ１０の開封を行なうことが可能である。
【００３４】
前記しるし７の内側に形成したノッチ９は、Ｉノッチ９に限らず、指先に当接した際に、指先を傷つけない程度の大きさからなるＶノッチ９であってもよく、例えば図５（ａ）に示すように、Ｖノッチ形状のしるし７の内側にＶノッチ９を形成した場合、図５（ｂ）に示すように、Ｖノッチ形状のしるし７の内側にＩノッチ９を形成した場合、図５（ｃ）に示すように、Ｕノッチ形状のしるし７の内側にＩノッチ９を形成した場合、図５（ｄ）に示すように、Ｕノッチ形状のしるし７の内側にＶノッチ９を形成した場合など、開封起点を示すしるし７と、該しるし７の内側に形成されるノッチ９の種類を組み合わせて、様々な形状の組合せからなる開封起点を形成してもよい。
【００３５】
また、前記しるし７を形成する方法は、特に限定されるものではなく、印刷によって前記しるし７を形成してもよく、また、しるし７部分を除いて印刷を施すことにより、開封起点を示すしるし７を形成してもよい。
【００３６】
また、前記ノッチ９は、通常、Ｉ字形やＶ字形などのノッチ９が利用されているが、ノッチ形状は特に限定されず、切り取り方向に向かって鋭角部分を有する形状であればよい。また、ハーフカット線を設ける場合も、直線状のハーフカット線に限らず、ミシン目状など断続的なハーフカット線で設けることもできる。更に、このようなハーフカット線は、１本でもよいが、引き裂き方向がずれた場合を想定して、中心のハーフカット線の両側に各１本、または各２本など複数本のハーフカット線を平行または中心のハーフカット線に収束する形状などに設けることもできる。更にこれらの複数を適宜組み合わせて設けたものであってもよい。
【００３７】
さらには、前記ノッチ９及び前記しるし７からなる開封起点は、複数段形成してもよく、例えば図６に示すように、パウチ１０の上方部分にノッチ９Ａ及びしるし７Ａからなる開封起点を形成するとともに、パウチ１０の略中央部分に、ノッチ９Ｂ及びしるし７Ｂからなる開封起点を形成してもよい。
これにより、図６（ｂ）に示すように、パウチ上方部分のノッチ９Ａを起点に切取片５を切除してパウチ１０を初期開封した後、内容物の量が減った際に、さらにパウチ中央部分のノッチ９Ｂを起点に、再びフィルムを切除することにより、より内容物を取り出しやすくなる効果がある。
【００３８】
また、本発明のユニバーサルデザインパウチ１０のパウチ形状としては、スタンドパウチやピロータイプのパウチ１０であってもよく、フィルムの外周をシールしてなるパウチ１０であれば、パウチの形状は限定されるものではない。また、本発明のパウチ１０に用いるフィルムは、主にプラスチックフィルムを主体とする積層フィルムが用いられ、例えば、液体を含む各種食品用パウチに用いられている従来公知の積層フィルムを用いることができ、特に限定されるものではない。積層フィルムの構成は、充填される流動食の種類や充填後の加圧加熱殺菌時に加えられる加熱条件などによって適宜選定することができる。
【００３９】
前記しるしは印刷工程で形成し、印刷インキに感熱性発泡体および／又はマット状外観を形成するための粒体、粉体、短繊維を含むことにより、製袋後にマット状に形成することが可能である。そして、しるしをマット状に形成することにより、一見して開封箇所を認識できるとともに、指先で触っても認識することができる効果がある。
前記しるしをマット状に形成し、指先の触感で認識可能とするためには、好ましくは５０μｍ〜１０００μｍ程度の高低差があることが好ましく、他方５０μｍ以下の高低差では、指先の触感では判別しづらい。また、前記しるしは、表側印刷が望ましいが、特に限定されるものではない。
【００４０】
例えば、レトルト、ボイル用途で前記しるしを表側印刷により形成した場合、殺菌工程時にスチームや熱水に対しての耐水性、耐熱性を有し、および使用状況に応じて適宜耐擦過性、堅牢性、耐摩性を有することが望ましく、さらには、耐内容物適性、耐薬品適性、耐油性、定着性等を有することがより望ましい。
【００４１】
本発明のパウチ１０に好適に用いられるフィルムの一例として、下記のような構成の積層フィルムが挙げられる。
（１） ＰＥＴフィルム／接着剤／アルミニウム箔／接着剤／ＯＮフィルム／接着剤／ＣＰＰフィルム（シーラント層）
（２）ＰＥＴフィルム／接着剤／ＯＮフィルム／接着剤／アルミニウム箔／接着剤／ＣＰＰフィルム（シーラント層）
（３）ＰＥＴフィルム／接着剤／ＥＶＯＨフィルム／接着剤／ＯＮフィルム／接着剤／ＣＰＰフィルム（シーラント層）
（４）ＰＥＴフィルム／接着剤／一軸延伸ＰＰフィルム／接着剤／アルミニウム箔／接着剤／ＣＰＰフィルム（シーラント層）
（５）ＰＥＴフィルム／接着剤／（シリカまたはアルミナ蒸着層）ＯＮフィルム／接着剤／ＣＰＰフィルム（シーラント層）
などが挙げられるが、これらに限定されるものではなく様々な組み合わせの積層フィルムを使用することができる。
【００４２】
上記構成において、ＰＥＴフィルムは２軸延伸ポリエチレンテレフタレートフィルム、ＯＮフィルムは２軸延伸ナイロンフィルム、ＰＰフィルムはポリプロピレンフィルム、ＣＰＰフィルムは無延伸ポリプロピレンフィルム、ＥＶＯＨフィルムはエチレン−酢酸ビニル共重合体ケン化物フィルム、（シリカまたはアルミナ蒸着層）ＯＮフィルムはシリカまたはアルミナを蒸着した２軸延伸ナイロンフィルムを指すものである。
【００４３】
前記ＰＥＴフィルムやＯＮフィルムは、基材フィルムとして作用し、パウチに機械的強度のほか耐熱性、印刷適性などを付与する。また、中間層のアルミニウム箔、ＥＶＯＨフィルム、（シリカまたはアルミナ蒸着層）ＯＮフィルムは、パウチにガスバリヤー性を付与することが可能である。一軸延伸ＰＰフィルムは、本発明のパウチ１０では、その延伸方向がパウチの開口部分のフィルムを開封するための切取り線の方向と一致するように積層することにより、開口部のフィルムを切除する際、切取り線に沿って容易に引き裂いて開封できるようになる。
【００４４】
そして、最内層のＣＰＰフィルムは、ヒートシール用のシーラント層として作用すると共に、耐熱性、低臭性に優れるので、パウチごと加圧加熱殺菌される流動食用のパウチには好ましく用いられる。尚、上述した各フィルム材と同様な作用効果を有するものであれば、前記の積層構成に限定されるものではなく、適宜変更して使用することができる。
【図面の簡単な説明】
【００４５】
【図１】本発明のユニバーサルデザインパウチを示す図である。（ａ）開封前を示す図である。（ｂ）開封後を示す図である。
【図２】本発明のユニバーサルデザインパウチを示す正面図である。
【図３】本発明のユニバーサルデザインパウチの別の例を示す図である。（ａ）開封前を示す図である。（ｂ）開封後を示す図である。
【図４】本発明のユニバーサルデザインパウチのさらに別の例を示す図である。（ａ）開封前を示す図である。（ｂ）開封後を示す図である。
【図５】（ａ）（ｂ）（ｃ）（ｄ）本発明のユニバーサルデザインパウチのさらに別の例を示す図である。
【図６】本発明のユニバーサルデザインパウチのさらに別の例を示す図である。（ａ）開封前を示す図である。（ｂ）開封後、再開封後を示す図である。
【図７】従来のパウチの一例を示す図である。
【図８】（ａ）（ｂ）従来のパウチの一例を示す図である。
【符号の説明】
【００４６】
１  上シール部
２  左右のシール部
３  下シール部
４  収容部（未シール部分）
５  切取片
７  しるし（開封起点表示）
８  しるし（開封方向表示）
９  ノッチ
１０  ユニバーサルデザインパウチ（パウチ）
【図１】
2008074441.tif 000003
【図２】
2008074441.tif 000004
【図３】
2008074441.tif 000005
【図４】
2008074441.tif 000006
【図５】
2008074441.tif 000007
【図６】
2008074441.tif 000008
【図７】
2008074441.tif 000009
【図８】
2008074441.tif 000010